(57)【要約】      （修正有）【課題】ロウソクと同等の装飾手段として使用することができ、しかも、使用時に破損するおそれがなく、さらに、操作性の優れたオイルランプの提供。【解決手段】オイルランプ１は、ガラス製の細長い有底円筒状の細管容器２と、容器２の上端開口２ａに装着される真鍮製の口金４とを備える。口金４の口金本体部１０の下面１０１には、膨出部１２が形成され、その外周面１２１との間に間隙１０３を隔てて開口被覆部１４が形成される。口金４は、口金本体部１０の下面１０１が容器２の開口端面２ｂに当接するまで、開口２ａに膨出部１２を差し込んで容器２に装着される。その際、開口被覆部１４の内周面１４１と容器２の上端外周面２ｃとの間、及び膨出部１２の外周面１２１と容器２の内周面２ｄとの間にそれぞれ、外側間隙１９と内側間隙２０とが形成される。内側間隙２０は、膨出部１２に設けられる環状封止材５にて封止される。【選択図】図１
0003141957.tif 000002
【実用新案登録請求の範囲】
【請求項１】
細長いガラス製の管からなる有底の細管容器と、この細管容器の上端開口に装着される金属製の口金とを備え、
前記口金は、前記細管容器の上端開口を覆う口金本体部と、この口金本体部から上方へ先細状に突出形成される芯保持部と、前記口金本体部の下面から下方へ膨出する円柱状の膨出部とを備え、
前記口金本体部の上面には、前記芯保持部の周囲に油受け溝が形成される一方、前記口金本体部の下面には、その外周縁全周から下方へ向けて、前記膨出部の外周面との間に等間隔の間隙を隔てて円筒形の開口被覆部が形成され、
前記膨出部は、直径よりも上下長さが短く形成されると共に、前記膨出部の先端は截頭錐面に形成され、
前記開口被覆部は、その延出長さが前記膨出部よりも短く形成され、
前記口金には、前記膨出部、前記口金本体部および前記芯保持部の中央を貫いて芯保持孔が形成されると共に、前記油受け溝の内周面と前記膨出部の下面とに開口して連通穴が形成され、
前記膨出部の外周面には周方向に沿って形成された取付溝に環状封止材がはめ込まれ、
前記芯保持孔に差し込まれて灯芯が前記口金に保持され、
前記開口被覆部の内周面と前記細管容器の上端外周面との間に外側間隙が形成されると共に、前記膨出部の外周面と前記細管容器の上端内周面との間に内側間隙が形成され、前記膨出部が前記環状封止材によって前記細管容器の上端内周面との前記内側間隙を封止して前記口金本体部の下面が前記細管容器の開口端面に当接して装着される
ことを特徴とするオイルランプ。
【考案の詳細な説明】
【技術分野】
【０００１】
本考案は、内部に液体燃料を貯留し、芯材に炎を灯すオイルランプに関するものである。
【背景技術】
【０００２】
パーティー会場などでは、炎を灯したロウソクが適宜に配置されることで、会場内に独特な雰囲気をもたらすことができ、ロウソクは、様々な会場において装飾手段として使用されている。
【考案の開示】
【考案が解決しようとする課題】
【０００３】
しかし、ロウソクの場合は、使用中に長さが次第に短くなるため、炎の高さを一定に保つためには、たびたび取り替える必要があった。また、炎の大きさを自在に調節することも難しいものであった。
【０００４】
本件考案者は、ロウソクと同等の装飾手段として使用することができ、しかも、使用時に破損するおそれが少なく、さらに、操作性の優れたものを提供することを課題とするものである。
【課題を解決するための手段】
【０００５】
本考案は、前記課題を解決するためになされたもので、請求項１に記載の考案は、細長いガラス製の管からなる有底の細管容器と、この細管容器の上端開口に装着される金属製の口金とを備え、前記口金は、前記細管容器の上端開口を覆う口金本体部と、この口金本体部から上方へ先細状に突出形成される芯保持部と、前記口金本体部の下面から下方へ膨出する円柱状の膨出部とを備え、前記口金本体部の上面には、前記芯保持部の周囲に油受け溝が形成される一方、前記口金本体部の下面には、その外周縁全周から下方へ向けて、前記膨出部の外周面との間に等間隔の間隙を隔てて円筒形の開口被覆部が形成され、前記膨出部は、直径よりも上下長さが短く形成されると共に、前記膨出部の先端は截頭錐面に形成され、前記開口被覆部は、その延出長さが前記膨出部よりも短く形成され、前記口金には、前記膨出部、前記口金本体部および前記芯保持部の中央を貫いて芯保持孔が形成されると共に、前記油受け溝の内周面と前記膨出部の下面とに開口して連通穴が形成され、前記膨出部の外周面には周方向に沿って形成された取付溝に環状封止材がはめ込まれ、前記芯保持孔に差し込まれて灯芯が前記口金に保持され、前記開口被覆部の内周面と前記細管容器の上端外周面との間に外側間隙が形成されると共に、前記膨出部の外周面と前記細管容器の上端内周面との間に内側間隙が形成され、前記膨出部が前記環状封止材によって前記細管容器の上端内周面との前記内側間隙を封止して前記口金本体部の下面が前記細管容器の開口端面に当接して装着されることを特徴とするオイルランプである。
【考案の効果】
【０００６】
本考案は上記構成であることにより、ロウソクと同様細長い本体の上端に炎を点灯する装飾手段として使用することができ、しかも炎の大きさの調整が可能であり、かつ、同じ高さを長時間にわたって一定に保つことができるものである。さらに、口金と細管容器との材質が異なるため熱膨張率を異にするが、細管容器の内面と膨出部の外周面との間、及び、細管容器の外面と口金の開口被覆部の内周面との間にそれぞれ外側間隙と内側間隙とを形成しているので熱膨張によって細管容器の上端開口部が損傷するおそれがなく、また、口金から下方に向け形成された膨出部は、その直径よりも上下長さが短くなるように形成されると共に、膨出部の先端が截頭錐面に形成され、さらに開口被覆部の長さを膨出部よりも短く形成したことにより、オイルの補給などのために口金を外す際に、口金を斜めに傾けたとしても膨出部や開口被覆部が細管容器の開口に当接して損壊するおそれがほとんどなくなり、熟練した作業者でなくとも安心して安全に操作することができるものである。さらにまた膨出部の外周面に周方向に沿って形成された取付溝に環状封止材がはめ込まれ、この環状封止材によって細管容器の上端内周面と膨出部との間の内側間隙が封止されるので、細管容器内のオイルが上端開口の内側で確実に封止され、安全に使用できるものである。
【考案を実施するための最良の形態】
【０００７】
以下、本考案のオイルランプについて、実施例に基づきさらに詳細に説明する。
【０００８】
図は、本考案のオイルランプの一実施例を示しており、図１は本考案のオイルランプをスタンドに取り付けた状態を示し、図２は図１のオイルランプの上下方向の中央部を中間省略した縦断面図、図３は図２の一部を拡大して表した図であり、図４は図２におけるIV−IV断面図である。本実施例のオイルランプ１は、細長い有底円筒状の細管容器２と、この細管容器２の底部に設けられる金属製の底材３と、細管容器２の上部に着脱可能に設けられる真鍮製の口金４と、この口金４に設けられる環状封止材５と、口金４に保持される灯芯６とを備える。
【０００９】
細管容器２はガラス製とされ、底部２ｅを水密に閉塞し、しかも底部２ｅに底材３が接着などによって固定される。底材３は、直径が細管容器２よりも大きい円形の底材本体部７と、この底材本体部７の上面外周縁７ａ全周から上方へ延出して円筒状に形成される下端被覆部８と、底材本体部７の底面中央から下方へ突出形成されるボルト部９から構成される。
【００１０】
このようにして構成された底材３は、下端被覆部８の内周面と細管容器２下端部外周面とが当接すると共に、底材本体部７の上面と細管容器２の下端面とが当接し、接着剤により接着されることにより、細管容器２の底部２ｅに取り付けられる。細管容器２には燃料としてパラフィンオイルが貯留される。
【００１１】
口金４は、直径が細管容器２よりも大きい円形状の口金本体部１０と、この口金本体部１０から上方へ先細状に突出形成される芯保持部１１と、口金本体部１０の下面１０１中央から下方へ膨出する円柱状の膨出部１２とを備える。口金本体部１０、芯保持部１１および膨出部１２は一体形成される。
【００１２】
芯保持部１１は、基端から先端に向かうにしたがい次第に細く、かつ、凹曲面となるように形成されており、口金本体部１０の上面には、芯保持部１１の周囲に周方向に連続する油受け溝１３が形成される。油受け溝１３は、深さ方向へ行くに従って幅狭となるように、断面が底丸の略逆三角形状に形成される。また、油受け溝１３の内周面は、芯保持部１１の外周面下端部とされる。一方、口金本体部１０の下面１０１には、その外周縁１０２から下方へ向けて、膨出部１２の外周面１２１との間に等間隔の間隙１０３を隔てて円筒形の開口被覆部１４が形成される。開口被覆部１４の延出長さａは、膨出部１２の上下長さｂより短く形成されている。
【００１３】
膨出部１２の外周面１２１には、その周方向に沿って取付溝１５が形成される。この取付溝１５には、環状封止材５がはめ込まれる。本実施例では、環状封止材５は、Ｏリングとされる。また、膨出部１２の先端部は、傾斜角θが４５°の截頭錐面１２２に形成されており、その先端面１２３には下方へ開口した円形状の凹部１６が形成される。
【００１４】
このように形成された口金４には、口金本体部１０、芯保持部１１および膨出部１２の中央を貫通して端面円形の芯保持孔１７が形成される。また、口金４には、前記油受け溝１３の内周面と前記膨出部１２の凹部１６底面１６１とに開口して小径の連通穴１８が形成される。
【００１５】
前述したように、口金４は、細管容器２の上部に装着される。具体的には、口金本体部１０の下面１０１が細管容器２の上端開口２ａの端面２ｂに当接するまで、その上端開口２ａに口金４の膨出部１２が差し込まれる。その際、口金４の開口被覆部１４の内径ｃは、細管容器２の外径ｄよりも大きく形成されており、開口被覆部１４の内周面１４１と細管容器２の上端外周面２ｃとの間には外側間隙１９が形成される。一方、口金４の膨出部１２の外径ｅは、細管容器２の内径ｆよりも小さく形成されており、膨出部１２の外周面１２１と細管容器２の内周面２ｄとの間には内側間隙２０が形成される。この内側間隙２０は、環状封止材５を設けた膨出部１２が、細管容器２の上端開口に無理嵌めされることにより、前記環状封止材５にて水密に封止される。
【００１６】
灯芯６は、一端部が口金４に形成された芯保持孔１７に差し込まれて、口金４に保持される。灯芯６は、口金４の芯保持部１１から上方へ若干突出して保持されている。このようにして、口金４に灯芯６を保持しておき、その状態で、口金４が細管容器２に装着され、灯芯６は、口金４に保持されると共に、細管容器２に収容される。灯芯６は、グラスファイバーなどの耐熱性及び親油性を有する繊維からなるものが好適に使用される。
【００１７】
図５は、細管容器２から口金４を取り外す状態を示す縦断面図である。細管容器２内への燃料の補給や、細管容器２内の洗浄などは、細管容器２から口金４を取り外して行われる。
【００１８】
図５に示すように、口金４は、細管容器２に対して傾斜させることができ、開口被覆部１４の内周面と細管容器２の上端外周面との間には外側間隙１９が形成される一方、膨出部１２の外周面と細管容器２の上端内周面との間には内側間隙２０が形成されていると共に、膨出部１２の外径ｅ（すなわち直径）よりも上下長さｂが短く形成され、さらに開口被覆部１４の延出長さａが膨出部１２の上下長さｂより短く形成されているので、口金４は細管容器２に対してスムーズに傾斜させることができる。
【００１９】
従って、細管容器２から口金４を取り外す際には、口金４を傾斜させつつ、または口金４を左右に繰り返し傾斜させつつ、細管容器２から口金４を外すことができる。開口被覆部１４の延出長さａは、膨出部１２の上下長さｂの３０〜５０％であるのが好ましい。３０％以下になると膨出部１２の基端１２４が細管容器２の外から見えて美観を損ない、５０％を超えると口金４を細管容器２から外す際に細管容器２の上端に当接し易くなる。
【００２０】
本実施例のオイルランプ１は図１のように使用されるものであり、オイルランプ１は、スタンド２１などに立設されて使用される。スタンド２１は、オイルランプ１が設置されるランプ取付部２２と、このランプ取付部２２の下面中央から下方へ延出する円柱状の支持片２３と、この支持片２３の下端部に設けられる台座部２４とを備える。図示例では、ランプ取付部２２の直径は、台座部２４よりも小さいとされる。
【００２１】
このような構成のスタンド２１に、オイルランプ１が立設される。具体的には、ランプ取付部２２の上面に形成されたネジ穴２５に、細管容器２に設けられる底材３のボルト部９がねじ込まれる。このようにして、オイルランプ１は、スタンド２１に立設された状態で、パーティー会場などに配置される。
【００２２】
以上のような構成のオイルランプ１は、有底円筒状の細管容器２が上下方向に細長く形成され、その細管容器２の上端開口２ａに装着される口金４の芯保持部１１が先細状に形成されるので、ロウソクと同等の装飾手段として使用できる。また、開口被覆部１４の内周面１４１と細管容器２の上端外周面２ｃとの間には外側間隙１９が形成されるので、使用時において、口金４と細管容器２の熱膨張の差異によって破損するおそれがない。また、口金４を傾斜させつつ、または口金４を繰り返し傾斜させつつ、スムーズに細管容器２から口金４を外すことができるので、熟練者でなくとも、細管容器２から口金４を容易に引き抜くことができる。
【００２３】
また、口金４には、連通穴１８が形成されているため、オイルランプ１使用時に、燃焼しなかった油を細管容器２内に戻すことができる。すなわち、燃焼しなかった油は、一旦油受け溝１３に溜められ、ある程度溜まると連通穴１８を通って細管容器２内へ戻される。
【００２４】
本考案のオイルランプの灯芯６は、口金４の芯保持部１１から上方へ若干突出して口金４に保持されるが、灯芯６の突出量を若干変えることで、容易に炎の大きさを変えることができる。
【００２５】
なお、前記実施例では、スタンド２１にネジ穴２５を設け、そのネジ穴２５に底材３のボルト部９をねじ込む構成としたが、スタンド２１からボルトを突出させ、そのボルトを底材３のネジ穴にねじ込む構成としてもよい。
【図面の簡単な説明】
【００２６】
【図１】本考案のオイルランプの一実施例を使用している状態を示す図であり、一部を断面にして示している。
【図２】本考案のオイルランプの一実施例を示す縦断面図であり、中間省略している。
【図３】図２の一部拡大図である。
【図４】図２におけるIV−IV断面図である。
【図５】図２の上部を示す縦断面図であり、細管容器から口金を取り外す状態を示している。
【符号の説明】
【００２７】
１  オイルランプ
２  細管容器
４  口金
５  環状封止材
６  灯芯
１０  口金本体部
１１  芯保持部
１２  膨出部
１３  油受け溝
１４  開口被覆部
１５  取付溝
１７  芯保持孔
１８  連通穴
１９  外側間隙
２０  内側間隙
【図１】
0003141957.tif 000003
【図２】
0003141957.tif 000004
【図３】
0003141957.tif 000005
【図４】
0003141957.tif 000006
【図５】
0003141957.tif 000007